(57)【要約】【課題】複数号機昇降機の電子商取引に対応しかつ、複数号機昇降機のための入力作業を簡素化した昇降機の電子商取引システムを提供する。【解決手段】ネットワーク回線を介して昇降機の電子商取引を行う昇降機の電子商取引システムにおいて、複数号機を運転させる複数号機昇降機を含む電子商取引を行う取引手段を備えた。特に、上記取引手段が、上記複数号機昇降機の全ての号機に共通の設定を行う記入欄を含む各種設定用の画面を表示する第１の画面表示手段を含む。【選択図】図１２
2005122565.tif 000002
【特許請求の範囲】
【請求項１】
ネットワーク回線を介して昇降機の電子商取引を行う昇降機の電子商取引システムにおいて、複数号機を運転させる複数号機昇降機を含む電子商取引を行う取引手段を備えたことを特徴とする昇降機の電子商取引システム。
【請求項２】
上記取引手段が、上記複数号機昇降機の全ての号機に共通の設定を行う記入欄を含む各種設定用の画面を表示する第１の画面表示手段を含むことを特徴とする請求項１に記載の昇降機の電子商取引システム。
【請求項３】
上記取引手段が、上記複数号機昇降機の複数の号機に共通の設定を行う記入欄を少なくとも１つ含む各種設定用の画面を表示する第２の画面表示手段を含むことを特徴とする請求項１に記載の昇降機の電子商取引システム。
【請求項４】
上記取引手段が、上記複数号機昇降機の各号機毎の記入欄を含み、上記記入欄への個別の入力がない限り予め定められた代表号機の上記記入欄への入力と同様の入力がされたものと見なし各号機への設定を行う各種設定用の画面を表示する第３の画面表示手段を含むことを特徴とする請求項１に記載の昇降機の電子商取引システム。
【請求項５】
上記取引手段が、上記複数号機昇降機の複数の号機を指定する入力を行う少なくとの１つの記入欄と、指定された該号機群への設定を入力するそれぞれの記入欄とを含む各種設定用の画面を表示する第４の画面表示手段を含むことを特徴とする請求項１に記載の昇降機の電子商取引システム。
【請求項６】
上記号機を入力する記入欄の指定号機が初期設定され表示されていることを特徴とする請求項５に記載の昇降機の電子商取引システム。
【請求項７】
上記取引手段が、上記複数号機昇降機の各号機毎の記入欄を含み、上記各記入欄が自記入欄へ入力された内容の少なくとも１つの他記入欄へのコピー又は所定の他記入欄へ入力された内容の自記入欄へのコピーを行うコピーボタンを有する各種設定用の画面を表示する第５の画面表示手段を含むことを特徴とする請求項１に記載の昇降機の電子商取引システム。
【発明の詳細な説明】
【技術分野】
【０００１】
この発明は昇降機の電子商取引システム、特に複数号機を運転する昇降機の電子商取引に関する。
【背景技術】
【０００２】
近年は昇降機においても電子商取引を実施している。しかし、従来の昇降機の電子商取引システムでは、複数号機で１つの制御を行うエレベーター(複数号機昇降機)の発注は実現されていない。従来のこの種の電子商取引は、昇降機の売り手である昇降機の製造・販売業者が運営する電子商取引システムにホームエレベーターの買い手である会員がアクセスして、商談がなされるものである。ここでいう会員とは例えば、事前に該システムに会員登録を行った設計事務所、建築会社などである。施主から昇降機付きの建築を請負った会員は、上記システムにアクセスし、対話画面に従って必要な仕様などの情報を入力する。ここで入力する情報は、建物の種類、階床数、階床ごとの高さ、オプションの選択、希望納期、当該物件の所在地などである。この情報に基づき、昇降機の製造・販売業者より、当該会員に対し、見積価格、据付図、納期とが提示される。結果が満足すべきものの場合、当該会員は該システムの発注画面上で、発注ボタンをクリックすることにより、契約が成立する(例えば非特許文献１参照)。
【０００３】
【非特許文献１】三菱エレベーターＥＣ(電子商取引)サイト＜ＵＲＬ：http://www1.mitsubishi-elevator.com/＞
【発明の開示】
【発明が解決しようとする課題】
【０００４】
上述のインターネット上で構成された昇降機の電子商取引システムは、１台の号機(乗りかご)で構成される昇降機の発注に対応したものである。しかし、昇降機には複数台の号機で構成される昇降機もあり、この種の昇降機については電子商取引を実現しようとする場合には、複数台分の号機の仕様をそれぞれに入力する手段が必要となる。一般の昇降機では、複数号機で構成された昇降機を１セットとして商談を行なうものである。しかし、従来の昇降機の電子商取引システムではこれに対応しておらず、複数号機昇降機(エレベーター群(バンク))の各号機の仕様入力を行なうためには、入力項目数が号機台数分となり入力の手間が増えてしまう。
【０００５】
この発明は、上記の課題を解決するためになされたもので、複数号機昇降機の電子商取引に対応した昇降機の電子商取引システムを提供するものである。
【課題を解決するための手段】
【０００６】
この発明は、ネットワーク回線を介して昇降機の電子商取引を行う昇降機の電子商取引システムにおいて、複数号機を運転させる複数号機昇降機を含む電子商取引を行う取引手段を備えたことを特徴とする昇降機の電子商取引システムにある。特に、上記取引手段が、上記複数号機昇降機の全ての号機に共通の設定を行う記入欄を含む各種設定用の画面を表示する第１の画面表示手段を含む。
【発明の効果】
【０００７】
複数号機昇降機の電子商取引に対応しかつ、複数号機昇降機のための入力作業を簡素化できる。
【発明を実施するための最良の形態】
【０００８】
実施の形態１．
図１はこの発明の一実施の形態による昇降機の電子商取引システムの構成図である。昇降機製造、販売会社が管理するサイトはサーバー３に作図処理用コンピューター４、見積処理用コンピューター５、生産管理用コンピューター６、商談情報データベース７、会員情報データベース８、代理店情報データベース９、製品情報データベース１０等が接続されて構成され、これにインターネット回線２を介して利用者のネット端末であるパーソナルコンピューター１が接続されている。昇降機の電子商取引システムはサーバー３を中心にこれに接続された各コンピューターおよび各データベースが協働して実現される。
【０００９】
本例では、上記の利用者としてゼネコンと称される総合建設業、建築設計事務所、マンションデベロッパー、貸ビル事業者などの従業者を想定している。しかし、必ずしもこれに限るものではない。例えば、建築関係または住宅関係の官公庁の設計部門などの従業者であってもよい。また、自社ビル建設を考えている経営者個人であってもよい。
【００１０】
図２は、最初に利用者が見る初期画面である。まず、利用者が事務所ビルの設計を請負った建築設計事務所の従業者であり、以前に昇降機を含む事務所ビル設計の経験を有しており、インターネットを介した昇降機の電子商取引が可能であることは承知しているが、実際に電子商取引をしたことは無いと想定する。このような場合、利用者は利用者のパーソナルコンピューター１により、最初に、必要な情報、具体的には外観、構造概要、設置条件、輸送能力、概算価格といったカタログに記載されているような基礎的な情報を求め、インターネット上で、エレベーター販売業者のホームページを探すのが通例である。図２はそのようなホームページの一例である。
【００１１】
ここで、利用者は、初めてこのホームページを利用するので、「ご利用方法」をクリックし、このサイトの利用方法を確認する。利用者はこれを読んだうえで、トップページ(図２)に戻り、実際に利用する。
【００１２】
まず、図２のトップページから所定のボタンをクリックすると、例えば、図３に示すような昇降機の情報が表示される。なおこれらの表示は、図１の製品情報データベース１０に蓄積された情報がサーバー３を介して送信されたものである。ここでは昇降機の乗りかご室内写真、昇降機の構造概要、昇降機の製品基本仕様等が表示され、さらに次のページに進むと(特に図示せず)標準的な製品価格、設置条件、標準的な工期などが表示されている。これらは、従来からある紙のカタログに記載されているものと同等の情報をインターネット上で提示しているものである。
【００１３】
このようにして、必要な昇降機について基礎的な情報を得た利用者は、この昇降機が自己の設計要求に合致すると判断した場合には、発注をしようとする。前述の利用方法では、発注するには会員登録が必要であると説明されているので、利用者は図２のトップページに戻り、会員登録をする。
【００１４】
図２のトップページで会員登録をクリックすると、いくつかの会員規約の承認画面などを経て会員情報登録画面が現われる。利用者は、この会員情報登録画面の必須事項を入力することにより会員登録できる。この登録情報は、会員情報データベース８に保存される。
【００１５】
会員登録を済ませた利用者は、図２のトップページの上にあるログインＩＤとパスワード(例えば会員登録に指定される)を入力し、ログインボタンを押すことにより、図４に示す会員専用サイトに移ることができる。
【００１６】
図４の会員専用サイトからは、最終的にエレベーターの売買契約締結が可能である。これは、次の手順ですすめる。まず、最初に、利用者は物件情報を入力する。図５はこの入力画面であり、工事件名等、必須項目を入力する。入力を完了すると確認画面が表示され、利用者が確認すると物件情報が１つのプランブックとして商談情報データベース７に保存される。
【００１７】
次に、詳細に仕様を決めて、詳細見積もり金額の算定をもとめる。利用者は図５の会員専用のページで「登録」をクリックすると、見積もりをするか否かの確認のための画面が表示(特に図示せず)されこれの「お見積もり」をクリックすると、図６の画面が表示される。そこで求める昇降機について、どんなオプションを付けるか、建物の条件、などを所定の欄に入力するか、選択肢の中から選択する。これらの情報は、商談情報データベース７に保存される。
【００１８】
入力が完了すると仕様確認の画面があらわれ、これを確認すると、見積処理用コンピューター５に指令が発せられ、暫くすると、利用者のパーソナルコンピューター１の画面に、図７のように見積金額等が仕様とともに表示される。その結果が満足ゆくものであれば、利用者は、契約しようと考える。しかし、通常は、契約する前に、昇降機の設置のために、要求される建築物との接続関係の図面(据付図)を確認する。これは、つぎのように行う。
【００１９】
利用者は、図７の「作成」ボタンをクリックする。すると入力した仕様の確認画面(特に図示せず)が現われる。これに誤りがなければ、確認画面の「作図」ボタンをクリックする。これにより、作図処理用コンピューター４に作図指示が発せられる。
【００２０】
作図が完了すると該当図面が送信されてくる。図８は送信された図面の例であり、このように、個別の仕様に基いて図面が自動作成され、利用者に供与される。なお、この図は単なるイメージではなく、ＣＡＤ図として利用できるものである。
【００２１】
その結果が満足ゆくものであれば、利用者は、発注をする。図７の次の画面(特に図示せず)の「ご注文」ボタンをクリックすると、図９のような注文画面となる。この画面には、当該工事件名、見積もり価格(ご契約金額)等が予め表示されており、利用者は、最終的な納期、支払方法などの、必須事項を入力してゆく。入力が完了すると確認画面(特に図示せず)が現われ、間違いがなければ、利用者は確認画面にある「注文」ボタンをクリックする。これにより売買契約が締結される。一方、「注文」ボタンのクリックにより、生産管理用コンピューター６に生産準備の指令が発せられる。これにより、該当商談につき、所定の演算処理がなされ、該昇降機の生産および据付日程計画が策定され、利用者に連絡される。
【００２２】
以上が、初めて利用する利用者が売買契約を締結するまでの一連の流れである。そしてこの発明のシステムでは特に、複数号機昇降機の電子商取引も上記の手順に従い同様にして行う。
【００２３】
上記手続きは基本的に図１０に示すフローチャートで示される手順で行われ、照会画面が表示され(ステップＳ１)、これに従い利用者から所定の入力がされると(ステップＳ２)その入力に従って取引処理が行われ(ステップＳ３)、これで取引が完了していなければテップＳ１に戻りプログラムに従って次の照会画面が表示され、取引が完了すれば終了となる、というものである(電子商取引を行う取引手段)。これにより複数号機を運転させる昇降機単位の電子商取引にも対応でき、電子商取引で手配可能な昇降機の範囲を増やすことができる。
【００２４】
そして複数号機昇降機の電子商取引において、入力の手間を軽減するために以下の特徴を備える。
【００２５】
複数号機昇降機の仕様等の各種希望設定を入力する場合、図１１のごとく全号機同一の内容であっても該当号機分入力する必要があるが、複数号機で１つの制御を行うエレベーター群(バンク)すなわち複数号機昇降機単位で入力する項目については図１２のごとくまとめて入力することで、入力作業を簡素化できる。すなわち、複数号機昇降機の全ての号機に共通の設定を行う記入欄Ｉ１２を含む各種設定用の画面を表示する(第１の画面表示手段)。
【００２６】
また、複数号機昇降機の全ての号機に限定されず、例えば図１３のごとく、複数号機昇降機の複数の号機に共通の設定を行う記入欄Ｉ１３を含む各種設定用の画面を表示するようにしてもよく、入力作業を簡素化できる(第２の画面表示手段)。
【００２７】
また、図１４のごとく号機毎で入力する設定項目が全号機同一内容であれば、図１５のごとく特定のある号機(代表号機：ここでは１号機)にのみ入力することで、代表号機以外は設定入力を行なわなくても同一設定とし、所定のマーク(例えば図１５で→)を表示しておく。なお、特別にある号機だけ別の設定を行いたい場合には別途、該当する号機の記入欄に所望の入力を行う。すなわち、個々の記入欄Ｉ１５への個別の入力がない限り予め定められた代表号機の記入欄Ｉ１５ａへの入力と同様の入力がされたものと見なして各号機への設定を行う各種設定用の画面を表示する。これにより同一設定の号機毎の設定入力の手間を削減できる(第３の画面表示手段)。
【００２８】
また、図１６のごとく同一設定の該当号機をまとめて入力または自動表示する。すなわち、複数の号機を指定する入力を行う少なくとの１つの記入欄Ｉ１６ａと、指定された該号機群への設定を入力するそれぞれの記入欄Ｉ１６とを含む各種設定用の画面を表示する。また上記号機を入力する記入欄Ｉ１６ａの指定号機が初期設定され予め表示(変更可能)されているようにしてもよい。これにより同一設定の号機毎の設定入力の手間を削減できる(第４の画面表示手段)。
【００２９】
また、図１７のごとく各号機の入力する設定が同一内容であれば、図１８のごとく特定のある号機(代表号機：ここでは１号機)の記入欄Ｉ１８ａにのみ設定を入力し、該記入欄Ｉ１８ａに設けられたコピーボタンＢ１８ａを押すことで、実質的に図１７のごとく代表号機１以外の号機に同一設定がコピーされて自動入力される。あるいは代表号機以外の号機の記入欄Ｉ１８に設けられたコピーボタンＢ１８を押すことで、所定の他の記入欄(例えば代表号機の記入欄Ｉ１８ａ)と同一設定がコピーされて自動入力される。入力内容をどの記入欄(複数の場合もある)へコピーするか、あるいはどの記入欄の入力内容がコピーされるかは適宜設定すればよい。すなわち、複数号機昇降機の各号機毎の記入欄Ｉ１８ａ、Ｉ１８を含み、各記入欄Ｉ１８ａ、Ｉ１８が自記入欄へ入力された内容の少なくとも１つの他記入欄へのコピー又は所定の他記入欄へ入力された内容の自記入欄へのコピーを行うコピーボタンＢ１８ａ、Ｂ１８を有する各種設定用の画面を表示する。これにより同一設定の号機毎の設定入力の手間を削減できる(第５の画面表示手段)。
【図面の簡単な説明】
【００３０】
【図１】この発明の一実施の形態による昇降機の電子商取引システムの構成図である。
【図２】この発明による昇降機の電子商取引システムの表示画面の一例を示す図である。
【図３】この発明による昇降機の電子商取引システムの表示画面の一例を示す図である。
【図４】この発明による昇降機の電子商取引システムの表示画面の一例を示す図である。
【図５】この発明による昇降機の電子商取引システムの表示画面の一例を示す図である。
【図６】この発明による昇降機の電子商取引システムの表示画面の一例を示す図である。
【図７】この発明による昇降機の電子商取引システムの表示画面の一例を示す図である。
【図８】この発明による昇降機の電子商取引システムの表示画面の一例を示す図である。
【図９】この発明による昇降機の電子商取引システムの表示画面の一例を示す図である。
【図１０】この発明による昇降機の電子商取引システムの基本的動作を示すフローチャートである。
【図１１】表示画面の内容を示す図である。
【図１２】この発明による昇降機の電子商取引システムの各種設定用の表示画面の一例を示す図である。
【図１３】この発明による昇降機の電子商取引システムの各種設定用の表示画面の一例を示す図である。
【図１４】表示画面の内容を示す図である。
【図１５】この発明による昇降機の電子商取引システムの各種設定用の表示画面の一例を示す図である。
【図１６】この発明による昇降機の電子商取引システムの各種設定用の表示画面の一例を示す図である。
【図１７】表示画面の内容を示す図である。
【図１８】この発明による昇降機の電子商取引システムの各種設定用の表示画面の一例を示す図である。
【符号の説明】
【００３１】
１  利用者のパーソナルコンピューター、２  インターネット回線、３  サーバー、４  作図処理用コンピューター、５  見積処理用コンピューター、６  生産管理用コンピューター、７  商談情報データベース、８  会員情報データベース、９  代理店情報データベース、１０  製品情報データベース、Ｉ１２，Ｉ１３，Ｉ１５，Ｉ１５ａ，Ｉ１６，Ｉ１６ａ，Ｉ１８，Ｉ１８ａ  記入欄、Ｂ１８，Ｂ１８ａ  コピーボタン。
【図１】
2005122565.tif 000003
【図２】
2005122565.tif 000004
【図３】
2005122565.tif 000005
【図４】
2005122565.tif 000006
【図５】
2005122565.tif 000007
【図６】
2005122565.tif 000008
【図７】
2005122565.tif 000009
【図８】
2005122565.tif 000010
【図９】
2005122565.tif 000011
【図１０】
2005122565.tif 000012
【図１１】
2005122565.tif 000013
【図１２】
2005122565.tif 000014
【図１３】
2005122565.tif 000015
【図１４】
2005122565.tif 000016
【図１５】
2005122565.tif 000017
【図１６】
2005122565.tif 000018
【図１７】
2005122565.tif 000019
【図１８】
2005122565.tif 000020